(57)【要約】【課題】ヘルメット着装者の視線とカメラの撮影方向とのずれを少なくでき、また、ヘルメットの帽体の前部に取り付けられたヘッドライト等の付属品に干渉しないヘルメット用カメラ、及びそのヘルメット用カメラを備えたヘルメットを提供すること。【解決手段】撮影機能を有するカメラ部１０と、カメラ部１０をヘルメット１００の庇１０２に取り付けるための取付部２０とを備え、カメラ部１０がヘルメット１００に取り付けられた状態において、カメラ部１０のレンズ１１の下端１１ａが庇１０２の高さ以下に位置する。【選択図】図２
2019131927.tif 000002
【特許請求の範囲】
【請求項１】
ヘルメットに装着して用いるカメラであって、
撮影機能を有するカメラ部と、
前記カメラ部を前記ヘルメットの庇に取り付けるための取付部とを備え、
前記カメラ部が前記ヘルメットに取り付けられた状態において、前記カメラ部のレンズの下端が前記庇の高さ以下に位置することを特徴とするヘルメット用カメラ。
【請求項２】
前記取付部は、
前記ヘルメットの前記庇の周縁に結合する庇接続部と、
前記庇接続部に固定され、前記カメラ部を保持するカメラ保持部とを備え、
前記庇接続部は、
前記庇の上面に配置される上面配置部と、
前記庇の下面に配置される下面配置部と、
前記庇の先端に配置される先端配置部とを有し、
前記上面配置部と前記下面配置部とは、前記先端配置部を介して連結されていることを特徴とする請求項１に記載のヘルメット用カメラ。
【請求項３】
前記カメラ保持部は、
一方のカメラ保持部と、
前記一方のカメラ保持部から所定の間隔をおいて配置された他方のカメラ保持部とを備えることを特徴とする請求項２に記載のヘルメット用カメラ。
【請求項４】
前記カメラ部は、前記カメラ保持部に上下に回動可能に保持されていることを特徴とする請求項２又は請求項３に記載のヘルメット用カメラ。
【請求項５】
前記カメラ保持部は、前記カメラ部を保持する先端が前記庇よりも前上方に位置することを特徴とする請求項４に記載のヘルメット用カメラ。
【請求項６】
前記庇接続部が板ばねであることを特徴とする請求項２から請求項５のいずれか一項に記載のヘルメット用カメラ。
【請求項７】
前記庇接続部は、
前記庇の前記周縁に結合する一方の庇接続部と、
前記一方の庇接続部から所定の間隔をおいて前記庇の前記周縁に結合する他方の庇接続部とを備えることを特徴とする請求項２から請求項６のいずれか一項に記載のヘルメット用カメラ。
【請求項８】
前記カメラ部は、
前記レンズを有するカメラモジュールと、
前記カメラモジュールの動作を制御する制御板と、
前記カメラモジュールと前記制御板を接続するフラットケーブルとを有し、
前記制御板は、前記カメラモジュールの上方に横倒しに配置され、
前記フラットケーブルは、前記カメラモジュールと前記制御板との間に折り畳んで配置されていることを特徴とする請求項１から請求項７のいずれか一項に記載のヘルメット用カメラ。
【請求項９】
前記カメラモジュール、前記制御板、及び前記フラットケーブルが収容される筐体を備え、
前記筐体には、前記筐体内への液体の浸入を防ぐ防水部が設けられていることを特徴とする請求項８に記載のヘルメット用カメラ。
【請求項１０】
請求項１から請求項９のいずれか一項に記載のヘルメット用カメラが前記庇の周縁に取り付けられていることを特徴とするヘルメット。
【発明の詳細な説明】
【技術分野】
【０００１】
本発明は、ヘルメットに装着して用いるヘルメット用カメラ、及びヘルメット用カメラを備えたヘルメットに関する。
【背景技術】
【０００２】
安全性や作業効率の向上等を目的として、作業用ヘルメットにカメラを装着し、現場の音声・映像などといった状況を記録又はリアルタイムで遠隔地に伝送することが行われている。
例えば特許文献１には、作業用ヘルメットにカメラを取り付け、カメラで撮影した画像データをリアルタイムで監視用端末に送信する作業画像監視システムが開示されている。特許文献１の図２には、カメラを作業用ヘルメットの帽体の前部に設けた例が示されている。
また、特許文献２には、カメラ、レーザーポインタ、送受信手段、及びスピーカーを備え、現地作業者が遠隔地へ現場の状況画像を送信すると共に、遠隔地からの指示を受け取ることができる指標投射手段付きヘルメットが開示されている。特許文献２の図１等には、カメラを作業用ヘルメットの帽体の前部に設けた例が示されている。
また、特許文献３には、レンズの周方向に所定間隔で配置されたＬＥＤを備えたカメラ付き照明装置が開示されている。特許文献３の図１等には、カメラを作業用ヘルメットの帽体の前部に設けた例が示されている。
また、特許文献４には、作業用ヘルメットに、カメラ、送受話装置、及びモニタ装置を備え、現地作業者が遠隔地へ現場の状況画像を送信すると共に、遠隔地からの指示を受け取ることができる双方向情報伝送システムが開示されている。特許文献４の図２等には、カメラを作業用ヘルメットの帽体の左側部に設けた例が示されている。
【先行技術文献】
【特許文献】
【０００３】
【特許文献１】特開２０１３−１９２２０２号公報
【特許文献２】特開２０１０−１８５１５５号公報
【特許文献３】特開２０１２−１６２８３０号公報
【特許文献４】特開平５−２１１６５０号公報
【発明の概要】
【発明が解決しようとする課題】
【０００４】
特許文献１から３のようにカメラがヘルメットの帽体の前部に設けられている場合や、特許文献４のようにカメラがヘルメットの帽体の側方に設けられている場合は、ヘルメット着装者の視線とカメラの位置とにずれがあるため、所望の撮影結果が得られなかったり、着装者が所望の撮影角度に合わせようとカメラの位置に気を取られたりしてしまう可能性がある。
また、ヘルメットの前部にはヘッドライト等の付属品が取り付けられることがあるが、特許文献１又は２のようにカメラをヘルメットの帽体の前部に取り付けた場合は、付属品とカメラが干渉してしまうため、カメラと付属品を一直線上に取り付けることは困難である。
【０００５】
そこで本発明は、ヘルメット着装者の視線とカメラの撮影方向とのずれを少なくでき、また、ヘルメットの帽体の前部に取り付けられたヘッドライト等の付属品に干渉しないヘルメット用カメラ、及びそのヘルメット用カメラを備えたヘルメットを提供することを目的とする。
【課題を解決するための手段】
【０００６】
請求項１記載の本発明のヘルメット用カメラ１は、ヘルメット１００に装着して用いるカメラであって、撮影機能を有するカメラ部１０と、前記カメラ部１０を前記ヘルメット１００の庇１０２に取り付けるための取付部２０とを備え、前記カメラ部１０が前記ヘルメット１００に取り付けられた状態において、前記カメラ部１０のレンズ１１の下端１１ａが前記庇１０２の高さ以下に位置することを特徴とする。
【０００７】
請求項２記載の本発明は、請求項１に記載のヘルメット用カメラ１において、前記取付部２０は、前記ヘルメット１００の前記庇１０２の周縁に結合する庇接続部２１と、前記庇接続部２１に固定され、前記カメラ部１０を保持するカメラ保持部２２とを備え、前記庇接続部２１は、前記庇１０２の上面に配置される上面配置部２１Ａと、前記庇１０２の下面に配置される下面配置部２１Ｂと、前記庇１０２の先端に配置される先端配置部２１Ｃとを有し、前記上面配置部２１Ａと前記下面配置部２１Ｂとは、前記先端配置部２１Ｃを介して連結されていることを特徴とする。
【０００８】
請求項３記載の本発明は、請求項２に記載のヘルメット用カメラ１において、前記カメラ保持部２２は、一方のカメラ保持部２２と、前記一方のカメラ保持部２２から所定の間隔をおいて配置された他方のカメラ保持部２２とを備えることを特徴とする。
【０００９】
請求項４記載の本発明は、請求項２又は請求項３に記載のヘルメット用カメラ１において、前記カメラ部１０は、前記カメラ保持部２２に上下に回動可能に保持されていることを特徴とする。
【００１０】
請求項５記載の本発明は、請求項４に記載のヘルメット用カメラ１において、前記カメラ保持部２２は、前記カメラ部１０を保持する先端が前記庇１０２よりも前上方に位置することを特徴とする。
【００１１】
請求項６記載の本発明は、請求項２から請求項５のいずれか一項に記載のヘルメット用カメラ１において、前記庇接続部２１が板ばねであることを特徴とする。
【００１２】
請求項７記載の本発明は、請求項２から請求項６のいずれか一項に記載のヘルメット用カメラ１において、前記庇接続部２１は、前記庇１０２の前記周縁に結合する一方の庇接続部２１と、前記一方の庇接続部２１から所定の間隔をおいて前記庇１０２の前記周縁に結合する他方の庇接続部２１とを備えることを特徴とする。
【００１３】
請求項８記載の本発明は、請求項１から請求項７のいずれか一項に記載のヘルメット用カメラ１において、前記カメラ部１０は、前記レンズ１１を有するカメラモジュール１２と、前記カメラモジュール１２の動作を制御する制御板１３と、前記カメラモジュール１２と前記制御板１３を接続するフラットケーブル１６とを有し、前記制御板１３は、前記カメラモジュール１２の上方に横倒しに配置され、前記フラットケーブル１６は、前記カメラモジュール１２と前記制御板１３との間に折り畳んで配置されていることを特徴とする。
【００１４】
請求項９記載の本発明は、請求項８に記載のヘルメット用カメラ１において、前記カメラモジュール１２、前記制御板１３、及び前記フラットケーブル１６が収容される筐体１４を備え、前記筐体１４には、前記筐体１４内への液体の浸入を防ぐ防水部１５が設けられていることを特徴とする。
【００１５】
請求項１０記載の本発明のヘルメットは、請求項１から請求項１０のいずれか一項に記載のヘルメット用カメラ１が前記庇１０２の周縁に取り付けられていることを特徴とする。
【発明の効果】
【００１６】
本発明によれば、カメラ部を帽体の前面に取り付ける場合よりもレンズの位置を低くすることができる。これにより、レンズの位置が着装者の眼の高さに近くなりカメラ部の撮影方向と視線とのずれを小さくできる。また、カメラ部を庇に取り付けることができるため、ヘルメットの帽体の前面にはヘッドライト等の付属品を取り付けることができる。
【図面の簡単な説明】
【００１７】
【図１】本実施例によるヘルメットを着用した着装者を示す図
【図２】同ヘルメット用カメラが装着されたヘルメットを示す斜視図
【図３】同ヘルメット用カメラが装着されたヘルメットを示す図
【図４】同カメラ部の構成を示す図
【図５】同カメラ部の筐体内部の機器配置を示す図
【図６】同ヘルメットのうちヘルメット用カメラの取付け部分を拡大した図
【図７】同ヘルメット用カメラが装着されたヘルメットを示す上面図
【図８】同カメラ部の回動動作を示す図
【図９】同ヘルメット用カメラの断面図
【発明を実施するための形態】
【００１８】
本発明の第１の実施の形態によるヘルメット用カメラは、撮影機能を有するカメラ部と、カメラ部をヘルメットの庇に取り付けるための取付部とを備え、カメラ部がヘルメットに取り付けられた状態において、カメラ部のレンズの下端が庇の高さ以下に位置するものである。
本実施の形態によれば、カメラ部を帽体の前面に取り付ける場合よりもレンズの位置を低くすることができる。これにより、レンズの位置が着装者の眼の高さに近くなりカメラ部の撮影方向と視線とのずれを小さくできる。また、カメラ部を庇に取り付けることができるため、ヘルメットの帽体の前面にはヘッドライト等の付属品を取り付けることができる。
【００１９】
本発明の第２の実施の形態は、第１の実施の形態によるヘルメット用カメラにおいて、取付部は、ヘルメットの庇の周縁に結合する庇接続部と、庇接続部に固定され、カメラ部を保持するカメラ保持部とを備え、庇接続部は、庇の上面に配置される上面配置部と、庇の下面に配置される下面配置部と、庇の先端に配置される先端配置部とを有し、上面配置部と下面配置部とは、先端配置部を介して連結されているものである。
本実施の形態によれば、庇接続部は、庇の上面に接する上面配置部と、庇の下面に接する下面配置部と、庇の先端に接する先端配置部を備えているため、庇と堅固に結合され、振動や衝撃等による揺動又は位置ずれが発生しにくい。
【００２０】
本発明の第３の実施の形態は、第２の実施の形態によるヘルメット用カメラにおいて、カメラ保持部は、一方のカメラ保持部と、一方のカメラ保持部から所定の間隔をおいて配置された他方のカメラ保持部とを備えるものである。
本実施の形態によれば、一方のカメラ保持部と他方のカメラ保持部を備えることにより、カメラ保持部が単一の場合よりもカメラ部の揺動を抑制することができる。
【００２１】
本発明の第４の実施の形態は、第２又は第３の実施の形態によるヘルメット用カメラにおいて、カメラ部は、カメラ保持部に上下に回動可能に保持されているものである。
本実施の形態によれば、着装者は撮影対象の位置や作業状況等に応じてカメラ部の上下位置を任意に変更することができる。
【００２２】
本発明の第５の実施の形態は、第４の実施の形態によるヘルメット用カメラにおいて、カメラ保持部は、カメラ部を保持する先端が庇よりも前上方に位置するものである。
本実施の形態によれば、カメラ部が庇の前上方に突出して配置されるため、カメラ部の回動範囲を大きくすることができる。また、カメラ部が庇の水平前方に突出して配置される場合よりも庇とカメラ部との隙間を小さくして、カメラ部の揺動を抑制することができる。
【００２３】
本発明の第６の実施の形態は、第２から第５のいずれか一つの実施の形態によるヘルメット用カメラにおいて、庇接続部を板ばねとするものである。
本実施の形態によれば、庇接続部を板ばねとすることによって、庇接続部は自らの弾性によって庇を堅固に挟み込むことができる。そのため、上面配置部と下面配置部をコイルばね等で結合した場合と比べて、庇接続部の構成を簡素化して小型化できる。
【００２４】
本発明の第７の実施の形態は、第２から第６のいずれか一つの実施の形態によるヘルメット用カメラにおいて、庇接続部は、庇の周縁に結合する一方の庇接続部と、一方の庇接続部から所定の間隔をおいて庇の周縁に結合する他方の庇接続部とを備えるものである。
本実施の形態によれば、一方の庇接続部と他方の庇接続部を備えることにより、庇接続部が単一の場合よりも庇接続部と庇との接触面積が増すため、庇接続部をより堅固に庇に結合させることができ、振動や衝撃等が加わった場合にも位置ずれが生じにくくなる。また、結合が堅固になることによって庇接続部は長さがそれほど必要ではなくなるため、比較的庇が短いヘルメットであってもヘルメット用カメラを取り付けることができる。
【００２５】
本発明の第８の実施の形態は、第１から第７のいずれか一つの実施の形態によるヘルメット用カメラにおいて、カメラ部は、レンズを有するカメラモジュールと、カメラモジュールの動作を制御する制御板と、カメラモジュールと制御板を接続するフラットケーブルとを有し、制御板は、カメラモジュールの上方に横倒しに配置され、フラットケーブルは、カメラモジュールと制御板との間に折り畳んで配置されているものである。
本実施の形態によれば、制御板がカメラモジュールの上方に横倒しに配置され、フラットケーブルがカメラモジュールと制御板との間に配置されていることで、カメラ部の高さを低く抑えて小型化できる。これにより、帽体の前面に配置されるヘッドライト等の付属品との干渉をより確実に避けることができる。
【００２６】
本発明の第９の実施の形態は、第８の実施の形態によるヘルメット用カメラにおいて、カメラモジュール、制御板、及びフラットケーブルが収容される筐体を備え、筐体には、筐体内への液体の浸入を防ぐ防水部が設けられているものである。
本実施の形態によれば、カメラ部への液体浸入が防止されるため、屋外でも使用することができる。
【００２７】
本発明の第１０の実施の形態によるヘルメットは、第１から第９のいずれか一つの実施の形態によるヘルメット用カメラが庇の周縁に取り付けられているものである。
本実施の形態によれば、カメラ部の撮影方向と視線とのずれが小さいヘルメット用カメラが装着されたヘルメットを提供することができる。また、ヘルメットの帽体の前面にはヘッドライト等の付属品を取り付けることができる。
【実施例】
【００２８】
以下、本発明の一実施例によるヘルメット用カメラ及びヘルメットについて説明する。
【００２９】
図１は、本実施例によるヘルメットを着用した着装者を示す図である。
ヘルメット１００に取り付けられたヘルメット用カメラ１は、ＵＳＢケーブルやＨＤＭＩ（登録商標）ケーブル等の本体接続ケーブル２を介して本体３に接続されている。本体３は、ヘルメット１００の着装者の胸部又は腰部等、ヘルメット１００以外に取り付けられる。
ヘルメット１００の着装者は、ヘルメット用カメラ１を用いて、工事現場や工場施設などにおける作業状況又は機器の状況等を撮影する。
本体３は、ヘルメット用カメラ１で撮影した画像を撮影場所から離れた場所へ伝送する伝送手段と、ヘルメット用カメラ１に電源を供給する電源供給手段を備える。着装者によって撮影された現場の状況が現場から離れた場所に伝送されることで、作業指揮者等は、現場から離れた場所に居る場合であっても現場の状況を把握しやすくなり、着装者に対して的確な指示を出すことができる。なお、本体３は、ヘルメット用カメラ１で撮影した画像を記憶する記憶手段を備えていてもよい。
図１のように、ヘルメット用カメラ１と本体３とを分離し、ヘルメット１００にはヘルメット用カメラ１のみを取り付けることで、撮影手段を取り付けることによるヘルメット１００の重量増加を少なくし、着装者の負担を軽減することができる。
【００３０】
図２は、ヘルメット用カメラが装着されたヘルメットを示す斜視図である。
ヘルメット１００は、工事現場や工場等で着用される産業用ヘルメット（産業用保護帽）である。ヘルメット１００は、半球状の帽体１０１と、帽体１０１の前部側の下端から前方へ突出した庇（鍔）１０２とを有する。
ヘルメット用カメラ１は、撮影機能を有するカメラ部１０と、カメラ部１０をヘルメット１００の庇１０２に取り付けるための取付部２０を備える。
【００３１】
図３は、ヘルメット用カメラが装着されたヘルメットを示す図であり、図３（ａ）は正面図、図３（ｂ）は背面図である。
図３に示すように、カメラ部１０は、庇１０２の周縁よりも前方に位置し、レンズ１１を正面（水平）に向けた状態において、レンズ１１の下端１１ａが庇１０２よりも下方に位置している。
このように、カメラ部１０を庇１０２に取り付け、レンズ１１の下端１１ａを庇１０２の先端の高さ以下に位置させることで、カメラ部１０を帽体１０１の前面に取り付ける場合よりもレンズ１１の位置を低くすることができる。これにより、レンズ１１の位置が着装者の眼の高さに近くなりカメラ部１０の撮影方向と視線とのずれを小さくできる。
【００３２】
なお、カメラ部１０の高さを下げ、着装者の眼の高さにレンズ１１を近づければ近づけるほど、カメラ部１０の撮影方向と着装者の視線とのずれを小さくすることができるが、その一方で、カメラ部１０の高さを下げすぎると着装者の視界がカメラ部１０によって遮られて狭くなってしまう。そのため、カメラ部１０の下端は、着装者の眼の高さよりも上方に位置させることが好ましい。本実施例では、図１から図３に示すように、レンズ１１の中心の高さはヘルメット１００の庇１０２の中央部の高さと略同一であり、カメラ部１０の下端は着装者の眼の高さよりも上方に位置している。これにより、着装者の視界を十分確保することができる。
また、カメラ部１０は、レンズ１１の中心と着装者の両眼の中間点とが概ね同一直線上に位置するように、ヘルメット１００の庇１０２の中央部に取り付けられている。これにより、カメラ部１０の撮影方向と着装者の視線とのずれをより小さくすることができる。
【００３３】
図４は、カメラ部の構成を示す図である。
カメラ部１０は、レンズ１１を有するカメラモジュール１２と、カメラモジュール１２を制御する矩形板状の制御板１３と、カメラモジュール１２及び制御板１３を備え、筐体１４に収容されている。
制御板１３には、本体接続ケーブル２の一端が接続されている。本体接続ケーブル２を通じて、本体３から制御板１３への電源供給、及び本体３と制御板１３間の通信が行われる。
筐体１４は、二分割構造であり、前筐体１４Ａと後筐体１４Ｂを備える。図４においては、前筐体１４Ａを後筐体１４Ｂから取り外した状態を示している。前筐体１４Ａと後筐体１４Ｂとの接続面は平らであり、筐体１４内への液体の浸入を防ぐ防水部１５が設けられている。防水部１５には、例えば隔壁及びパッキンゴムが配置される。
【００３４】
図５は、カメラ部の筐体内部の機器配置を示す図であり、図５（ａ）は前方から見た斜視図、図５（ｂ）は後方から見た斜視図である。なお、後筐体１４Ｂは省略している。
カメラモジュール１２と制御板１３とは、柔軟性を有するフラットケーブル１６で接続されている。
矩形板状の制御板１３は、カメラモジュール１２の上方に、横倒しに配置されている。フラットケーブル１６は、カメラモジュール１２と制御板１３との間に折り畳まれた状態で配置されている。
このように、制御板１３がカメラモジュール１２に面を向けた横倒しの状態で配置され、フラットケーブル１６がカメラモジュール１２と制御板１３との間に配置されていることで、カメラ部１０の高さを低く抑えて小型化することができる。これにより、帽体１０１の前面に配置されるヘッドライト等の付属品との接触を避けることができる。
【００３５】
また、カメラモジュール１２、制御板１３、及びフラットケーブル１６は、防水部１５が設けられた筐体１４内に収容されているため、風雨にさらされる屋外等でもヘルメット用カメラ１を使用することができる。
【００３６】
また、制御板１３がカメラモジュール１２の上方に配置されていることにより、図４に示すように、筐体１４の上部及び本体接続ケーブル２を庇１０２よりも上方に配置して、着装者の視界を確保することができる。
【００３７】
図６は、ヘルメットのうちヘルメット用カメラの取付け部分を拡大した図であり、図６（ａ）は左方から見た斜視図、図６（ｂ）は下方から見た斜視図、図６（ｃ）は上方から見た斜視図である。また、図７は、ヘルメット用カメラが装着されたヘルメットを示す上面図である。
取付部２０は、庇１０２の周縁に結合される。
取付部２０は、庇接続部２１とカメラ保持部２２を備える。庇接続部２１をヘルメット１００の庇１０２の周縁と結合させることで、取付部２０を庇１０２に固定することができる。また、カメラ保持部２２には、筐体１４に収容されたカメラ部１０が取り付けられる。カメラ保持部２２は、庇接続部２１に連結されている。
【００３８】
庇接続部２１は、二股状に構成されており、一方の庇接続部２１と他方の庇接続部２１を備える。
一方の庇接続部２１と他方の庇接続部２１とは、上部に架け渡された架橋部２３によって連結されている。一方の庇接続部２１と他方の庇接続部２１が架橋部２３を介して連結されていることによって、庇１０２への庇接続部２１の取付け・取外しを一体的に行えるなど、作業性が向上する。
【００３９】
庇接続部２１は、庇１０２の上面に配置される上面配置部２１Ａと、庇１０２の下面に配置される下面配置部２１Ｂと、庇１０２の先端に配置される先端配置部２１Ｃを備える。上面配置部２１Ａと下面配置部２１Ｂとは、先端配置部２１Ｃを介して連結されている。
庇接続部２１は、庇１０２の上面に接する上面配置部２１Ａと、庇１０２の下面に接する下面配置部２１Ｂと、庇１０２の先端に接する先端配置部２１Ｃを備えているため、庇１０２と堅固に結合され、振動や衝撃等による揺動又は位置ずれが発生しにくい。
【００４０】
庇接続部２１は、細板状の板ばねであり、庇１０２を挟み込むことができるように、先端配置部２１Ｃで湾曲的に１８０度折り返され、上面配置部２１Ａと下面配置部２１Ｂが向かい合わせに形成されている。上面配置部２１Ａと下面配置部２１Ｂとの間隔は、少なくとも一部が庇１０２の厚みよりも小さくなっている。
庇接続部２１を板ばねとすることによって、庇接続部２１は自らの弾性によって庇１０２を堅固に挟み込むことができる。そのため、上面配置部２１Ａと下面配置部２１Ｂをコイルばね等で結合した場合と比べて、庇接続部２１の構成を簡素化して小型化できる。
【００４１】
庇接続部２１を庇１０２に接続する際は、上面配置部２１Ａと下面配置部２１Ｂとの間に庇１０２を挟み込む。上面配置部２１Ａと下面配置部２１Ｂとの間隔が庇１０２の厚みよりも小さくなっている部分があるが、庇接続部２１は弾性を有するため、庇１０２の厚みよりも小さい間隔となっている部分は、上面配置部２１Ａと下面配置部２１Ｂとの間に挿入される庇１０２によって内側から押し拡げられる。
庇１０２が挟み込まれた庇接続部２１は、板ばねの復元力によって、特に上面配置部２１Ａと下面配置部２１Ｂとの間隔が庇１０２の厚みよりも小さい部分において庇１０２の上面及び下面を押圧する状態となるため、振動や衝撃等の外力が加わった場合にも位置ずれが抑制される。
【００４２】
一般的にヘルメット１００の庇１０２は、帽体１０１から縁部にかけて直線状に突出しているのではなく、帽体１０１から縁部にかけて湾曲して突出している。よって、１枚の平板状の板ばねを先端配置部で１８０度折り返して形成したものを庇接続部とし、その庇接続部を用いて庇１０２を挟み込んだ場合には、庇接続部の上面配置部及び下面配置部と庇１０２との間に隙間ができるため面接触とはならず、上面側１点と下面側１点での点接触となってしまい、振動や衝撃等が加わった場合に庇接続部に揺動や位置ずれが起こりやすい。また、仮に庇接続部の形状を庇の湾曲度合いに合わせて形成したとしても、上面配置部及び下面配置部と庇１０２との隙間を無くすことは困難である。また、庇１０２の湾曲度合いはヘルメット１００によって様々であるから、庇１０２の湾曲度合いに応じて庇接続部を形成すると、ヘルメット用カメラ１の汎用性が失われたり製造コストが上昇したりするなどの課題が生じる。
また、一般的にヘルメット１００の庇１０２は、上面視で弧状に形成されている。よって、１枚の平板状の板ばねを先端配置部で１８０度折り返して形成したものを庇接続部とし、その庇接続部を用いて庇１０２の中央部を挟み込んだ場合には、庇接続部の先端配置部は庇１０２のうち最も突出した部分のみに当接し、それ以外の部分では先端配置部と庇１０２の先端との間に隙間が生じてしまうため、振動や衝撃等が加わった場合に庇接続部に揺動や位置ずれが起こりやすい。なお、庇１０２の形状に合わせて庇接続部を形成すると、上記と同様にヘルメット用カメラ１の汎用性が失われたり製造コストが上昇したりするなどの課題が生じる。
そこで、本実施例においては、上述のように庇接続部２１を二股状に構成している。一方の庇接続部２１と他方の庇接続部２１を備えることで、一方の庇接続部２１における２点接触（上面側１点、下面側１点）と、他方庇接続部２１における２点接触（上面側１点、下面側１点）の計４点接触となる。接触点が増えることによって接触面積が増すため、庇接続部２１をより堅固に庇１０２に結合させることができる。さらに、庇接続部２１を二股状にすることで、庇１０２のうち最も突出した部分をかわして庇接続部２１の両側（一方の庇接続部２１と他方の庇接続部２１）において先端配置部２１Ｃを庇１０２に確実に当接させることができる。これにより、振動や衝撃等が加わった場合にも位置ずれが生じにくくなる。また、結合が堅固になることによって庇接続部２１は長さがそれほど必要ではなくなるため、庇接続部２１を短くすることで、比較的庇が短いヘルメットであってもヘルメット用カメラ１を取り付けることができる。
【００４３】
また、本実施例における庇接続部２１の上面配置部２１Ａは、全体的に直線状であり開放端部側が下面配置部２１Ｂから離れる方向に湾曲している。また、下面配置部２１Ｂは、先端配置部２１Ｃ側（折り返し側）から上面配置部２１Ａに近づく方向に湾曲した後、庇１０２の厚みよりも上面配置部２１Ａと下面配置部２１Ｂとの間隔が小さくなった部分を境として、開放端部側にかけて上面配置部２１Ａから離れる方向に湾曲した形状となっている。すなわち庇接続部２１は、略Ｒ字状に形成されている。この形状により、上面配置部２１Ａと下面配置部２１Ｂをより堅固に庇１０２に結合させることができる。
なお、下面配置部２１Ｂのうち庇１０２の厚みよりも上面配置部２１Ａと下面配置部２１Ｂとの間隔が小さくなっている部分は、ゴム等の滑り止め材で覆われていることが好ましい。滑り止め材を設けることによって庇１０２の下面と下面配置部２１Ｂ間の摩擦力が強くなり、振動や衝撃等による庇接続部２１の揺動や位置ずれを抑制することができる。
【００４４】
図７に示すように、庇接続部２１を庇１０２の中央部に結合させた状態において、一方の庇接続部２１と他方の庇接続部２１とは、庇１０２の中央部を軸として対称的に位置する。一方の庇接続部２１の外側面から他方の庇接続部２１の外側面までの長さＸは、ヘルメット１００の一方の側部から他方の側部までの長さＰの１５％以上３０％以内としている。
また、一方の庇接続部２１と他方の庇接続部２１との間隔Ｙは、筺体１４のうち本体接続ケーブル２が内部に配置されている部分を除いた領域の幅Ｚよりも小さい。また、一方の庇接続部２１の外側面から他方の庇接続部２１の外側面までの長さＸも、筺体１４のうち本体接続ケーブル２が内部に配置されている部分を除いた領域の幅Ｚよりも小さい。間隔Ｙは幅Ｚの６０％以上７０％以下とすることが好ましく、長さＸは幅Ｚの８０％以上９５％以下とすることが好ましい。
このように庇接続部２１を小型化することで、障害物等に庇接続部２１が接触する可能性を下げることができると共に、取付部２０全体の軽量化を図り着装者の負担を軽減することができる。
【００４５】
カメラ保持部２２は、二股状に構成されており、一方のカメラ保持部２２と他方のカメラ保持部２２を備える。一方のカメラ保持部２２及び他方のカメラ保持部２２は、一方の庇接続部２１と他方の庇接続部２１との間に配置されており、一方のカメラ保持部２２は一方の庇接続部２１に隣接し、他方のカメラ保持部２２は他方の庇接続部２１に隣接している。
カメラ保持部２２は、架橋部２３の上面に固定された後端を基点として前上方に傾いた状態で設けられており、先端が庇１０２よりも前方に突出して配置される。カメラ保持部２２の先端にはカメラ部１０が、カメラ保持部２２との接続部を中心として上下に回動可能に保持されている。
【００４６】
図６及び図７に示すように、カメラ部１０が、一方のカメラ保持部２２と他方のカメラ保持部２２によって保持されていることにより、単一のカメラ保持部２２で保持される場合よりもカメラ部１０の揺動が抑制されるため、撮影時のぶれを低減することができる。
また、カメラ部１０の上下の回動範囲を大きくするためには、カメラ部１０を庇１０２よりも前方に配置して庇１０２との干渉を回避する必要があるが、庇１０２とカメラ部１０との水平距離が大きくなるとカメラ部１０が揺動しやすくなる。そこで、カメラ保持部２２を架橋部２３の上面に固定された後端を基点として前上方に傾いた状態で設け、カメラ部１０を庇１０２の前上方に突出配置することにより、カメラ保持部２２を架橋部２３の上面に固定された後端を基点として水平に設け、カメラ部１０を庇１０２の水平前方に突出配置した場合よりも庇１０２とカメラ部１０との水平距離を小さくして、カメラ部１０の揺動を抑制することができる。
【００４７】
図８は、カメラ部の回動動作を示す図であり、図８（ａ）は側面図、図８（ｂ）は背面図である。
図８（ａ）はカメラ部１０を水平方向から上方に回動させた状態と、下方に回動させた状態を示している。また、図８（ｂ）はカメラ部１０を水平方向から上方に回動させた状態を示している。
上述のように、一方の庇接続部２１と他方の庇接続部２１との間隔が筐体１４の横幅よりも大きく設定されているので、カメラ部１０を下方へ回動させる際に庇接続部２１が邪魔にならない。よって、カメラ部１０の下方への回動範囲を大きくできる。なお、カメラ部１０を下方へ回動させたとき、カメラ部１０は、一方の庇接続部２１と他方の庇接続部２１との間に収まることになる。
カメラ部１０が上下に回動可能であることにより、着装者は、撮影対象の位置や作業状況等に応じてカメラ部１０の上下位置を任意に変更することができる。例えば、カメラ部１０を下方に回動させて手元の資料を撮影したり、撮影が不要な場合にはカメラ部１０を上方に回動させて、図８（ｂ）に示すように視界を広げたりすることができる。
なお、本実施例では、水平方向から上方には９０°まで、下方には６０°までカメラ部１０を回動可能としている。
【００４８】
図９は、ヘルメット用カメラの断面図である。
カメラ部１０とカメラ保持部２２との接続にはラチェット機構３０が用いられており、カメラ部１０の回動角度は多段階に調節可能であると共に、任意の回動角度で保持することができる。
これにより、着装者が容易にカメラ部１０の回動角度を変更して撮影を行ったり、視界を広げたりすることができる。
【符号の説明】
【００４９】
１  ヘルメット用カメラ
２  本体接続ケーブル
３  本体
１０  カメラ部
１１  レンズ
１１ａ  下端
１２  カメラモジュール
１３  制御板
１４  筐体
１４Ａ  前筐体
１４Ｂ  後筐体
１５  防水部
１６  フラットケーブル
２０  取付部
２１  庇接続部
２１Ａ  上面配置部
２１Ｂ  下面配置部
２１Ｃ  先端配置部
２２  カメラ保持部
２３  架橋部
３０  ラチェット機構
１００  ヘルメット
１０１  帽体
１０２  庇
【図１】
2019131927.tif 000003
【図２】
2019131927.tif 000004
【図３】
2019131927.tif 000005
【図４】
2019131927.tif 000006
【図５】
2019131927.tif 000007
【図６】
2019131927.tif 000008
【図７】
2019131927.tif 000009
【図８】
2019131927.tif 000010
【図９】
2019131927.tif 000011